(57)【要約】【課題】  メダル投入口から投入されたメダルが通過する経路に対するメンテナンス作業を容易にすること。【解決手段】  メダルゲーム装置１は、支持機構５０を備える。この支持機構５０は、操作部４０の左右後端から奥側に向かって延在するように固定された一対の支持アーム部材５１と、筐体１０の左右の側壁の内側にそれぞれ設けられ、各支持アーム部材５１を前後方向に移動可能に支持するガイドレール５３とを有している。ガイドレール５３は、支持アーム部材５１をその長手方向に沿って滑動させることで、当該支持アーム部材５１を介して操作部４０を筐体１０の手前側に引き出し可能にしている。【選択図】図３
2006068173.tif 000002
【特許請求の範囲】
【請求項１】
メダル収容部が内部に配置された筐体と、
メダル投入口とメダル貯留部とを有し、前記メダル収容部より高い位置で前記筐体に設けられた操作部と、
を備え、前記操作部が前記筐体から引き出し可能に構成され、引き出された時に前記メダル投入口から前記メダル収容部に至るメダル収容経路が露出するように前記操作部に固定されていることを特徴とするゲーム装置。
【請求項２】
前記操作部は、一端が前記メダル投入口と連通し、前記一端から他端に向けて漸次下方に傾斜した投入メダルガイドを有し、
前記筐体には、一端から、前記メダル収容部と連通する他端に向けて漸次下方に傾斜した搬送通路が設けられ、
前記投入メダルガイドの他端が前記搬送通路の一端より高い位置に設けられ、前記操作部の全閉状態時に、前記投入メダルガイドの他端が前記搬送通路の一端の上方近接位置に位置し、前記操作部の引き出し時に前記投入メダルガイドと前記搬送通路とが離隔することを特徴とする請求項１に記載のゲーム装置。
【請求項３】
前記投入メダルガイドはメダル選別機構を有することを特徴とする請求項２に記載のゲーム装置。
【請求項４】
前記メダル選別機構は、メダルの端部を支持するための対向溝を少なくとも一方のレールが有する一対のレールを備えて構成され、レール間で支持可能な直径のメダルのみを滑降させ、レール間で支持不可能な直径のメダルをレール間から落下させることでメダルを選別することを特徴とする請求項３に記載のゲーム装置。
【請求項５】
前記一対のレールは、レール間の長さを調整可能に構成されていることを特徴とする請求項４に記載のゲーム装置。
【請求項６】
異なるメダルの厚みに対応する複数の孔又は切欠きでなる間隙形成部を有する通過規制部材を位置決め可能に設けて備え、前記間隙形成部によって前記メダル投入口が形成されることを特徴とする請求項１〜５の何れか一項に記載のゲーム装置。
【請求項７】
前記通過規制部材は複数の前記間隙形成部を所定方向に隣接した位置に有し、当該所定方向にスライドすることで前記位置決めがなされることを特徴とする請求項６に記載のゲーム装置。
【請求項８】
前記操作部の上面には、メダルの自重により前記メダル投入口への連続したメダルの投入を可能とするためのスロープが形成されており、
前記間隙形成部は切欠きでなり、
前記通過規制部材は前記スロープの端面に沿ってスライドすることで前記位置決めがなされ、
前記間隙形成部の切欠きと前記スロープの端面とで前記メダル投入口が形成されることを特徴とする請求項７に記載のゲーム装置。
【発明の詳細な説明】
【技術分野】
【０００１】
本発明は、メダル（１００円玉や５０円玉といったコインを含む意。）を投入してゲームを楽しむゲーム装置に関する。
【背景技術】
【０００２】
従来から、メダル投入口からメダルを投入してゲームフィールド上にメダルを落下させ、プッシャープレートの往復動によって押されてゲームフィールドから落下したメダルをプレイヤに払い出す、所謂プッシャー型のメダルゲーム装置が知られている（特許文献１参照。）。
【特許文献１】特許３５２７７２２号公報
【発明の開示】
【発明が解決しようとする課題】
【０００３】
ところで、前述のようなメダルゲーム装置では、メダル投入口等を有する操作部は、筐体に対して固定的に形成されるものであった。このため、メダル投入口から投入されるメダルの通過経路内にメダルが詰まった際の除去作業や、前述の通路内に溜まった塵芥等のゴミの清掃作業といったメンテナンス作業は、例えば筐体下部等に設けられた扉を開けて筐体内部を覗き込み、不安定な姿勢で行う必要があり作業が容易ではなかった。
【０００４】
本発明は、上記した従来の事情に鑑みて為されたものであり、メダル投入口から投入されたメダルが通過する経路に対するメンテナンス作業を容易にすることを目的とする。
【課題を解決するための手段】
【０００５】
以上の課題を解決するための第１の発明のゲーム装置は、
メダル収容部（例えば、図２に示す投入メダル収容部６０）が内部に配置された筐体（例えば、図１に示す筐体１０）と、
メダル投入口（例えば、図１に示すメダル投入口４３）とメダル貯留部（例えば、図１に示すメダル貯留部４１）とを有し、前記メダル収容部より高い位置で前記筐体に設けられた操作部（例えば、図１に示す操作部４０）と、
を備え、前記操作部が前記筐体から引き出し可能に構成され、引き出された時に前記メダル投入口から前記メダル収容部に至るメダル収容経路（例えば、図３に示す投入メダルガイド７１）が露出するように前記操作部に固定されているものである。
【０００６】
この第１の発明によれば、操作部を筐体から引き出すことにより、メダル投入口からメダル収容部に至るメダル収容経路を露出させることができる。したがって、メダル投入口からメダル収容部に至るメダル収容経路に詰まったメダルの除去作業、或いはメダル収容経路に溜まった塵芥等のゴミの清掃作業といったメンテナンス作業を容易にすることができる。尚、本願におけるメダルとは、１００円玉や５０円玉といったコインを含む意味である。
【０００７】
第２の発明は、第１の発明のゲーム装置であって、
前記操作部は、一端が前記メダル投入口と連通し、前記一端から他端に向けて漸次下方に傾斜した投入メダルガイド（例えば、図３に示す投入メダルガイド７１）を有し、
前記筐体には、一端から、前記メダル収容部と連通する他端に向けて漸次下方に傾斜した搬送通路（例えば、図３に示す搬送通路７３）が設けられ、
前記投入メダルガイドの他端が前記搬送通路の一端より高い位置に設けられ、前記操作部の全閉状態時に、前記投入メダルガイドの他端が前記搬送通路の一端の上方近接位置に位置し、前記操作部の引き出し時に前記投入メダルガイドと前記搬送通路とが離隔するものである。
【０００８】
この第２の発明によれば、操作部の全閉状態時には、メダル投入ガイド及び搬送通路によりメダル投入口から投入されたメダルをメダル収容部まで案内・収容することができる。そして、操作部の引き出し時には、前述のメダル投入ガイドを露出させることができる。したがって、メダル投入口に連通したメダル投入ガイドに詰まったメダルの除去作業、或いはメダル投入ガイド内に溜まった塵芥等のゴミの清掃作業といったメンテナンス作業を容易にすることができる。
【０００９】
第３の発明は、第２の発明のゲーム装置であって、
前記投入メダルガイドは、メダル選別機構を有するものである。
【００１０】
この第３の発明によれば、投入口から投入されるメダルを選別することができる。
【００１１】
第４の発明は、第３の発明のゲーム装置であって、
前記メダル選別機構は、メダルの端部を支持するための対向溝を少なくとも一方のレールが有する一対のレール（例えば、図４に示すガイド枠７１１，７１３）を備えて構成され、レール間で支持可能な直径のメダルのみを滑降させ、レール間で支持不可能な直径のメダルをレール間から落下させることでメダルを選別するものである。
【００１２】
この第４の発明によれば、メダル投入口から投入された、前記一対のレール間で支持可能な直径より小さな直径のメダルをレール間から落下させることで、メダルを選別することができる。
【００１３】
第５の発明は、第４の発明のゲーム装置において、
前記一対のレールは、レール間の長さを調整可能に構成されているものである。
【００１４】
この第５の発明によれば、メダル選別機構が有する一対のレール間の長さを調整することにより、メダルを選別することができる。
【００１５】
第６の発明は、第１〜第５の発明であって、
異なるメダルの厚みに対応する複数の孔又は切欠きでなる間隙形成部（例えば、図５に示す間隙形成部９１ａ，９１ｂ）を有する通過規制部材（例えば、図５に示す通過規制部材９０）を位置決め可能に設けて備え、前記間隙形成部によって前記メダル投入口が形成されるものである。
【００１６】
この第６の発明によれば、通過規制部材が有する、異なるメダルの厚みに対応する複数の孔又は切欠きでなる間隙形成部のうち、一の間隙形成部を位置決めすることによって、メダル投入口を形成することができる。したがって、メダル投入口から投入可能なメダルの厚み及び径を簡単に規制することができ、不正なメダルの使用を防止することができる。
【００１７】
第７の発明は、第６の発明のゲーム装置であって、
前記通過規制部材は複数の前記間隙形成部を所定方向に隣接した位置に有し、当該所定方向にスライドすることで前記位置決めがなされるものである。
【００１８】
この第７の発明によれば、通過規制部材を所定方向にスライドさせることにより、一の間隙形成部を位置決めすることができる。したがって、通過規制部材をスライドさせて位置決めすることで、メダル投入口から投入可能なメダルの厚み及び径を簡単に規制することができ、不正なメダルの使用を防止することができる。
【００１９】
第８の発明は、第７の発明のゲーム装置であって、
前記操作部の上面には、メダルの自重により前記メダル投入口への連続したメダルの投入を可能とするためのスロープ（例えば、図１に示すスロープ４７）が形成されており、
前記間隙形成部は切欠きでなり、
前記通過規制部材は前記スロープの上面に沿ってスライドすることで前記位置決めがなされ、
前記間隙形成部の切欠きと前記スロープの上面とが前記メダル投入口の側面を形成するものである。
【００２０】
この第８の発明によれば、間隙形成部の切欠きと、メダルが投入されるスロープの端面とでメダル投入口を形成することができる。
【発明の効果】
【００２１】
本発明によれば、操作部を筐体から引き出すことにより、メダル投入口からメダル収容部に至るメダル収容経路を露出させることができる。したがって、メダル投入口からメダル収容部に至るメダル収容経路に詰まったメダルの除去作業、或いはメダル収容経路に溜まった塵芥等のゴミの清掃作業といったメンテナンス作業を容易にすることができる。
【発明を実施するための最良の形態】
【００２２】
以下、図面を参照して、本発明の一実施形態例について説明する。尚、本実施形態は、本発明のゲーム装置をメダルゲーム装置に適用した場合の実施形態である。
【００２３】
図１は、メダルゲーム装置１の正面概観図、図２は、メダル投入口４３から投入されるメダルＭの通過経路に沿った筐体１０の要部縦断面図、図３は、筐体１０の右側側面を切り欠いた説明図、図４（ａ）は、メダル投入口４３の周辺を示す操作部４０の要部上面図である。このメダルゲーム装置１は、所謂プッシャー型と呼ばれるメダルゲーム装置である。
【００２４】
先ず、メダルゲーム装置１の概略構成について説明する。メダルゲーム装置１の筐体１０は、基台２０上に、内部にゲーム空間ＳＰを形成する遊戯部３０が設けられ、遊戯部３０の下方手前側、すなわち基台２０の手前側面部に操作部４０を備えて形成されている。遊戯部３０の表面はガラス窓で形成されており、このガラス窓でゲーム空間ＳＰと外空間との間が仕切られている。尚、以下の説明における方向は、ゲームプレイを行うプレイヤの視点に立った方向を指すものとし、図１の上下左右方向を上下左右方向、メダルゲーム装置１の操作部４０側を手前側、メダルゲーム装置１の背面側を奥側として説明する。
【００２５】
操作部４０は、メダルＭを貯留するメダル貯留部４１と、メダルＭを投入するメダル投入口４３とを有し、メダル貯留部４１の奥側には、筐体１０内のメダルＭを払い出すための払出口４５が設けられている。そして、操作部４０の左右の側部上面には、メダル投入口４３にメダルＭを案内する下降勾配のスロープ４７が形成されており、このスロープ４７により、メダル投入口４３への連続したメダルＭの投入を可能としている。
【００２６】
ゲーム空間ＳＰの奥側上部には、ゲーム盤面３１０が略垂直に配置され、ゲーム盤面３１０の中央には、ゲームの進行状況に応じたゲーム画面を表示する表示部３１１が設けられている。また、表示部３１１を挟んでゲーム盤面３１０の左右上部には、メダルＭを放出する２つの放出口３１３が設けられ、その放出口３１３の下には、上下方向の動作により放出されたメダルＭの進路を変化させる可動式フリッパー３１５がそれぞれ設けられている。
【００２７】
ゲーム盤面３１０の下方には、ゲーム盤面３１０の下端に連接するゲーム盤面３３０が、奥側から手前側に向けて下向きに傾斜する姿勢で配置されている。ゲーム盤面３３０の下方には、メダルＭの進路を変更させるための複数のピン３３１ａ，３３１ｂが植設された回転円盤３３１が設けられている。ゲーム盤面３３０の傾斜面を落下したメダルＭは、回転円盤３３１に到達すると回転円盤３３１の回転動作及びピン３３１ａ，３３１ｂにより、進路変更されながら回転円盤３３１上を通過する。
【００２８】
回転円盤３３１の下方手前側には、傾斜面部３５１と、複数の入賞口３５３とを有するチャッカー部３５０が、回転円盤３３１から所定間隔離れて配置されている。このチャッカー部３５０は、複数の入賞口３５３から進入したメダルＭの通過をそれぞれ検知するための通過センサ（図示せず）を備えており、メダルＭの通過が検出された入賞口の種類やメダルＭの通過枚数に応じてプレイヤに特典（例えば、各種イベントの発生）が付与されることとなる。回転円盤３３１上を通過したメダルＭは、チャッカー部３５０の傾斜面部３５１に沿って入賞口３５３に進入するか、入賞口３５３を外れ傾斜面部３５１に沿って落下する。或いは、チャッカー部３５０の傾斜面部３５１に到達せずに、回転円盤３３１の側端や回転円盤３３１とチャッカー部３５０との隙間から落下する。
【００２９】
ゲーム空間ＳＰの底部には、一定速度で前後方向に往復動を行うプッシャープレート３７１を有するメダル載置用のゲームフィールド３７０が設けられている。プッシャープレート３７１は、ゲームフィールド３７０上に水平に設置された板状のものであり、ゲーム空間ＳＰを落下してきたメダルＭが上面に載置される。このプッシャープレート３７１は、ゲームフィールド３７０に落下したメダルＭを前方側（手前側）に押し出して、該ゲームフィールド３７０に載置されたメダルＭを玉突き状態として入賞メダルダクト（図示せず）に落下させる。入賞メダルダクトに落下したメダルＭは、筐体１０内部に設けられた払出路（図示せず）を通って、払出口４５からメダル貯留部４１に払い出される。尚、入賞メダルダクトに落下したメダルＭをカウントし、カウント数に応じたメダルＭを払出口４５からメダル貯留部４１に払い出す払出手段（例えば、ホッパー）を設けてもよい。
【００３０】
また、ゲーム空間ＳＰの中央右側には、ボーナスメダルＭを払い出すためのメダルシュータ３９０が設けられている。このメダルシュータ３９０は、ゲーム空間ＳＰの上部右奥側から湾曲・傾斜して形成され、メダルシュータ３９０の先端部がゲームフィールド３７０の上方に位置するように配置されている。ゲームの進行に応じてメダルシュータ３９０から払い出されたボーナスメダルＭは、プッシャープレート３７１の上面やゲームフィールド３７０上に落下する。
【００３１】
次に、メダル投入口４３からメダルＭが投入されることにより放出口３１３からメダルＭを放出するまでに至る構成について説明する。
係る構成は、操作部４０を前後方向に引き出し可能に支持する支持機構５０と、メダル投入口４３から投入されたメダルＭを収容する投入メダル収容部６０と、メダル投入口４３から投入されたメダルＭを投入メダル収容部６０へ案内する下降勾配のメダルガイド機構７０と、投入メダル収容部６０に収容されたメダルＭを筐体１０上方の放出口３１３まで搬送する投入メダル搬送機構８０と、投入可能なメダルＭの厚さ及び径を任意のサイズに設定する通過規制部材９０とを備えている。
【００３２】
支持機構５０は、操作部４０の左右後端から奥側に向かって延在するように固定された一対の支持アーム部材５１と、筐体１０の左右の側壁の内側にそれぞれ設けられ、各支持アーム部材５１を前後方向に移動可能に支持するガイドレール５３とを有している。
【００３３】
各支持アーム部材５１は長尺板状である。一方各ガイドレール５３は、内側に支持アーム部材５１を配して支持する例えば断面コ字状のレールであり、筐体１０の左右の側壁の内側において、前後方向に沿うように固定される。このガイドレール５３は、支持アーム部材５１をその長手方向に沿って滑動させることで、当該支持アーム部材５１を介して操作部４０を筐体１０の手前側に引き出し可能にしている。
【００３４】
また、各ガイドレール５３には前後方向に沿った長穴５３１が形成されており、この長穴５３１に各支持アーム部材５１のガイドレール５３側の平面にそれぞれ付設された突起５１１が係合される。したがって、突起５１１が長穴５３１の前端部又は後端部に当たることによって、操作部４０の前後方向の移動範囲が規制される。この長穴５３１の位置及び長さは、長穴５３１の後端部と突起５１１とが当たる場合に操作部４０が全閉状態となり、長穴５３１の前端部と突起５１１とが当たる場合には、後述する投入メダルガイド７１が全て露出する位置まで操作部４０が手前側に引き出されるように、設定される。尚、操作部４０の全開状態及び全閉状態時に、その状態を保持するためのロック機構を設けてもよい。
【００３５】
メダルガイド機構７０は、操作部４０に固定されて支持されるとともに上流側端部がメダル投入口４３に連通する投入メダルガイド７１と、筐体１０本体に固定されて支持されるとともに下流側端部が投入メダル収容部６０に連通する搬送通路７３と、搬送通路７３の上流側端部に設けられた払い落とし部材７５とを有し、投入メダルガイド７１と搬送通路７３とによりメダル収容経路が形成される。また、投入メダルガイド７１の下流側端部には投入センサ７７が設けられ、この投入センサ７７によって、投入メダルガイド７１を通過するメダルＭが検知される。
【００３６】
投入メダルガイド７１は、メダル選別機構を有する。すなわち、投入メダルガイド７１は、メダルＭの直径方向両端部を個別に支持する一対のガイド枠７１１，７１３から構成されている。各ガイド枠７１１，７１３は、三枚の長尺状の板を上下に重ね合わせ、間に挟まれた幅の狭い中板を片側に寄せて三枚の板が断面略コ字状となるように配置することで、上下の板の間に溝を形成して成る。尚、図４（ａ）は、各ガイド枠７１１，７１３の上板の図示を省略した図である。
【００３７】
図４（ｂ）は、図４（ａ）のＡ−Ａ断面図である。図４（ｂ）に示すように、各ガイド枠７１１，７１３は、前述の溝の開口側が互いに対向するように配置されることで対向溝を形成する。そして、この対向溝によってメダルＭの直径方向両端部を支持し、当該ガイド枠７１１，７１３の長手方向にメダルＭを案内する。尚、ガイド枠７１１及び７１３の双方が溝を形成している必要はなく、メダルＭを支持可能であれば、何れか一方が溝を形成していることとしてもよい。
【００３８】
尚、上記した実施形態では、投入メダルガイド７１は、それぞれ三枚の板を上下に重ね合わせて断面略コ字状となるように配置した一対のガイド枠７１１，７１３で構成されることとしたが、中板と下板とを一体的に形成し、１枚の上板で上面を覆うこととにより投入メダルガイド７１を構成してもよい（図４（ｃ））。
【００３９】
そして、各ガイド枠７１１，７１３のうち少なくとも一方のガイド枠（ガイド枠７１３）については、他方のガイド枠（ガイド枠７１１）との平行状態を保ちつつその平行間隔を可変する方向に沿って形成された長穴７１１ａに止めネジ７１１ｂを挿通させている。この止めネジ７１１ｂを緩めることによれば、当該ガイド枠７１１をその長穴７１１ａに沿って左右方向にスライド移動させることができる。これにより、二つのガイド枠７１１，７１３の間を通過するメダルの直径方向の幅を任意に調節することが可能となる。
【００４０】
またこの結果、各ガイド枠７１１，７１３の互いの下板の隙間間隔に満たない直径のメダルは、メダル投入口４３から投入されても、投入メダルガイド７１に沿って案内されることなく下方に落下することとなる。落下したメダルＭは投入メダルガイド７１の下方に配設されたメダル回収トレー７９によって受け止められ回収される。このメダル回収トレー７９は、操作部４０に固定されており、操作部４０を引き出すことにより、メダル回収トレー７９内のメダルＭを容易に回収することができる。
【００４１】
また、各ガイド枠７１１，７１３は、メダル投入口４３側である上流側端部のみが操作部４０に支持されており、操作部４０の全閉状態時において、その下流側端部が搬送通路７３の上流側上方近接位置に位置するように操作部４０に固定されている。このため、操作部４０が引き出された場合には、投入メダルガイド７１は、操作部４０とともに筐体１０の手前側に引き出されて搬送通路７３と離隔し、露出する。したがって、メダル投入口４３に連通した投入メダルガイド７１にメダルＭが詰まった際のメダルの除去作業、或いは投入メダルガイド７１の対向溝に溜まった塵芥等のゴミの清掃作業といったメンテナンス作業を、容易に行うことができる。
【００４２】
搬送通路７３は、メダルＭの搬送方向断面が上部を開口した略コ字状を成し、内部をメダルＭが移動する。この搬送通路７３によって、メダルＭは投入メダル収容部６０まで案内されて投入メダル収容部６０に落下・収容される。
【００４３】
払い落とし部材７５は、操作部４０の全閉状態時において投入メダルガイド７１の下流側端部に対向するように配置され、投入メダルガイド７１の下流側端部から滑り出す勢いで放出されるメダルＭを、搬送通路７３に落下させる。この払い落とし部材７５により、投入メダルガイド７１から放出されたメダルＭが搬送通路７３に導かれる。
【００４４】
通過規制部材９０は、操作部４０の上面に設けられ、投入メダルガイド７１の上流側端部と連通するスロープ４７の端部に配置されてメダル投入口４３を形成する。このメダル投入口４３は、メダルＭを横にしてスロープ４７上を滑らせるようにして投入させるように構成されている。そして、通過規制部材９０は、その前端部の端縁下端部をスロープ４７の上面に沿わせた状態で、該スロープ４７の端部に覆いかぶさるように配置される。
【００４５】
また、通過規制部材９０は、その後端部において左右方向に沿って形成された長穴９３に挿通する止めネジ９５により、操作部４０に固定支持されている。これにより、通過規制部材９０は、止めネジ９５を緩めることにより長穴９３に沿って左右方向にスライド移動させることができる。
【００４６】
図５は通過規制部材９０の正面図である。図５に示すように、通過規制部材９０の前端部は、端縁下端部において左右に隣接した長方形状の切欠きでなる２つの間隙形成部９１ａ，９１ｂを有する。各間隙形成部９１ａ，９１ｂは何れもその切欠きの幅ｌ1，ｌ2が均一であり、切欠きの深さｄ1，ｄ2がそれぞれ異なるように形成されている。前記切欠きの幅ｌ1，ｌ2は、例えば使用され得る最大のメダルの直径と略同一の長さに設定され、また切欠きの深さｄ1，ｄ2は、使用され得るメダルの厚みに応じて設定される。
【００４７】
そして、通過規制部材９０を左右方向に移動操作することで各間隙形成部９１ａ，９１ｂをメダル投入口４３に位置決めすることによって、メダル投入口４３が形成される。すなわち、間隙形成部９１ａ又は９１ｂと、スロープ４７の上面とがメダル投入口４３の側面を形成する。先ず、何れかの間隙形成部９１ａ，９１ｂをスロープ４７の上面に沿って左右方向にスライドさせる。そして、スロープ４７の側壁４７ａ又は４７ｂ端部で、間隙形成部９１ａ，９１ｂの開口の長さを決定する。これにより、スロープ４７の端部に、選択した間隙形成部の切欠きとスロープ４７の端面とによるスリット状のメダル投入口４３が形成される。
【００４８】
したがって、その切欠きの深さがそれぞれ異なる間隙形成部９１ａ，９１ｂの何れかを適宜選択することにより、通過可能なメダルＭの厚みを任意に選択することが可能となる。そして、何れかの間隙形成部をスロープ４７の端部に設置した状態で、該間隙形成部の左辺部又は右辺部をメダル投入口４３に対してずらして位置決めするだけで、メダル投入口４３に通過可能なメダルＭの厚さ及び径を任意に設定することができる。
【００４９】
また、通過規制部材９０は、前述のように位置決めした後で止めネジ９５により固定される。この通過規制部材９０を固定する止めネジ９５は、操作部４０の全閉状態時には筐体１０の内部に隠れ、操作部４０が引き出された場合に外部に露出するようになっている。これにより、メンテナンス時等、管理者により操作部４０が引き出された場合にのみ当該メダルゲーム装置１で使用可能なメダルの厚さ及び径を調整することができる。
【００５０】
以上説明したように、本実施形態によれば、操作部４０を手前側に引き出すことにより投入メダルガイド７１を外部に露出させることができる。したがって、管理者は、投入メダルガイド７１の清掃や詰まりの後処理といったメンテナンス作業を容易に行うことができる。
【００５１】
また、投入されるメダルの厚み及び径に応じたメダル投入口４３を形成することができる。したがって、メダル投入口４３から投入可能なメダルの厚み及び径を簡単に規制することができ、不正なメダルの使用を防止することができる。
【００５２】
［変形例］
以上、本発明についての好適な実施形態について説明したが、本発明は、上記したものに限らず、発明の趣旨を逸脱しない限りにおいて適宜変更可能である。
【００５３】
例えば、上記した実施形態では、通過規制部材９０が、長方形状の切欠きでなる２つの間隙形成部９１ａ，９１ｂを有することとしたが、これに限定されるものではない。例えば、通過規制部材の前端部に設けられる間隙形成部の数は、３つ以上であっても勿論構わない。具体的には、図６（ａ）に示すように、通過規制部材９１０に、３種類のメダルの厚みに対応する切欠きでなる３つの間隙形成部９１１ａ，９１１ｂ，９１１ｃを有することとしてもよい。
【００５４】
また、図６（ｂ）に示すように、通過規制部材９２０を、複数のメダルの厚みに対応するスリット（孔）でなる間隙形成部９２１ａ，９２１ｂ，９２１ｃを有する部材としてもよい。或いは、図６（ｃ）に示すように、通過規制部材９３０を、切欠きの深さが階段状に形成された間隙形成部９３１ａ〜９３１ｄを有する部材としてもよい。この通過規制部材９３０によれば、４種類のメダルの厚みに対応することができる。
【００５５】
また、上記した実施形態では、本発明のゲーム装置をメダルゲーム装置に適用した場合を例にとって説明したが、本発明は、メダルの投入によってゲームが進行するものであれば何れのゲーム装置へも適用可能である。具体的には、例えば、メダルを投入し、スロットゲームやビデオゲーム等を行う各種の業務用ゲーム装置に適用可能である。
【００５６】
例えば、図７（ａ）は、本発明を業務用ゲーム機１２００に適用した場合の概観例を示す図である。この業務用ゲーム機１２００において、プレイヤは、メダル投入口１２１６にメダルを投入してゲームを開始し、スピーカ１２０８から出力されるゲーム音を聞きながら操作ボタン１２１２或いは操作レバー１２１４を操作し、ディスプレイ１２０６に表示されるゲーム画像を見ながらゲームを楽しむ。
【００５７】
図７（ａ）に示す業務用ゲーム機１２００は、操作ボタン１２１２や操作レバー１２１４の他に、通過規制部材１２２０により形成されるメダル投入口１２１６を有する操作部１２１０が引き出し可能に構成されている。また、メダル投入口１２１６は、メダルを縦にして投入させるように構成されている。この場合、メダル投入口１２１６と連通する投入メダルガイド（図示せず）は、メダルを上下方向からそれぞれ個別に支持して投入メダル収容部（図示せず）に案内する。
【００５８】
また、図７（ｂ）に示すように、通過規制部材１２２０は、メダル投入口１２１６を形成することとなる３種類のメダルの厚みに対応するスリット（孔）でなる間隙形成部１２２０ａ，１２２０ｂ，１２２０ｃを有している。そして、この通過規制部材１２２０を図７に向かって左右方向にスライド移動させて間隙形成部を選択することにより、メダルの厚みを調節することが可能となる。
【図面の簡単な説明】
【００５９】
【図１】メダルゲーム装置の正面概観図。
【図２】メダル投入口から投入されるメダルの通過経路に沿った筐体の要部縦断面図。
【図３】筐体の右側側面を切り欠いた説明図。
【図４】メダル投入口の周辺を示す操作部の要部上面図。
【図５】通過規制部材の正面図。
【図６】通過規制部材の変形例を説明するための図。
【図７】ゲーム装置を業務用ゲーム機に適用した場合の概観図。
【符号の説明】
【００６０】
１                          メダルゲーム装置
１０                      筐体
２０                      基台
３０                      遊戯部
３１０，３３０          ゲーム盤面
３１１                表示部
３１３                放出口
３１５                可動式フリッパー
３３１                回転円盤
３３１ａ，３３１ｂ  ピン
３５０                  チャッカー部
３５１                傾斜面部
３５３                入賞口
３７０                  ゲームフィールド
３７１                プッシャープレート
３９０                  メダルシュータ
４０                      操作部
４１                    メダル貯留部
４３                    メダル投入口
４５                    払出口
４７                    スロープ
５０                      支持機構
５１                    支持アーム部材
５３                    ガイドレール
６０                      投入メダル収容部
７０                      メダルガイド機構
７１                    投入メダルガイド
７１１，７１３        ガイド枠
７３                    搬送通路
７５                    払い落とし部材
７７                    投入センサ
７９                    メダル回収トレー
８０                      投入メダル搬送機構
９０                      通過規制部材
９１ａ，９１ｂ          間隙形成部
９３                    長穴
ＳＰ                        ゲーム空間
Ｍ                          メダル
【図１】
2006068173.tif 000003
【図２】
2006068173.tif 000004
【図３】
2006068173.tif 000005
【図４】
2006068173.tif 000006
【図５】
2006068173.tif 000007
【図６】
2006068173.tif 000008
【図７】
2006068173.tif 000009